(57)【要約】【課題】第１に、下プレート金物の止着が確実化し、第２に、基礎コンクリート表面の湾曲や凹凸に対応でき、第３に、土台と基礎コンクリート間の段差にも対応でき、第４に、斜めの引張力や圧縮力にも対応でき、第５に、使い勝手が良く、第６に、柱のめり込みが防止され、第７に、柱の浮き上がりも防止され、第８に、建物コーナーでの強度にも優れるようになる、木造建物のプレート金物を提案する。【解決手段】この木造建物では、土台Ｂ側の上プレート金物７と、基礎コンクリートＡ側の複数枚に分割された下プレート金物８とが、連結縦ネジ９にて連結固定されている。連結縦ネジ９は、上プレート金物７や下プレート金物８に、ナットやナット付Ｕリングにて螺着されている。なお、上プレート金物７を極めて横長や縦長としたり、建物コーナーの上プレート金物７相互間や下プレート金物８相互間を、一体形成する構造も考えられる。【選択図】図１
2008050834.tif 000002
【特許請求の範囲】
【請求項１】
土台Ｂが基礎コンクリートＡ上に連結固定され、該土台Ｂ上に柱Ｃそして梁Ｄが組み付けられた木造建物において、
該土台Ｂと該基礎コンクリートＡとは、該土台Ｂ側に止着された上プレート金物７と、該基礎コンクリートＡ側に止着された下プレート金物８とが、連結縦ネジ９にて連結固定されており、該下プレート金物８が、複数枚に分割して用いられていること、を特徴とする、木造建物のプレート金物。
【請求項２】
該下プレート金物８には、大径穴１０が複数設けられ、該基礎コンクリートＡには、対応して小径穴Ｇが複数設けられており、
横ピン１１が、各該大径穴１０に遊挿着されると共に該小径穴Ｇに密挿着されることにより、該下プレート金物８が該基礎コンクリートＡに止着されていること、を特徴とする、請求項１に記載した木造建物のプレート金物。
【請求項３】
該下プレート金物８には、Ｕリング１２が溶着されており、該連結縦ネジ９の下部が、該Ｕリング１２に対し遊挿されると共にナット１３にて螺着されていること、を特徴とする、請求項２に記載した木造建物のプレート金物。
【請求項４】
該上プレート金物７は、複数本の横ネジ１４にて該土台Ｂ側に止着されると共に、ナット１５が溶着されており、該連結縦ネジ９の上部が、該ナット１５に対し螺着されていること、を特徴とする、請求項３に記載した木造建物のプレート金物。
【請求項５】
該上プレート金物７は、複数本の横ネジ１４にて該土台Ｂ側に止着されると共に、Ｕリング１６が溶着されており、該連結縦ネジ９の上部が、該Ｕリング１６に対し遊挿されると共にナット１７にて螺着されていること、を特徴とする請求項３に記載した木造建物のプレート金物。
【請求項６】
該上プレート金物７は、外壁材Ｅを介し該土台Ｂに止着される横プレート本体部１８と、該外壁材Ｅを介し該柱Ｃに止着される縦プレート部１９とが、一体形成された構造よりなること、を特徴とする、請求項４又は５に記載した木造建物のプレート金物。
【請求項７】
該上プレート金物７の横プレート本体部１９は、横長の寸法よりなり、該土台Ｂに沿って延伸されると共に、横に隣接する該上プレート金物７の端同士が、若干の左右間隔を存しつつ重ならない程度の位置関係で接近していること、を特徴とする、請求項６に記載した木造建物のプレート金物。
【請求項８】
該上プレート金物７の縦プレート部１９は、縦長の寸法よりなり、該柱Ｃに沿って延伸されると共に、上端が、２階の柱Ｃや梁Ｄに止着されていること、を特徴とする、請求項６に記載した木造建物のプレート金物。
【請求項９】
建物のコーナー用の該上プレート金物７は、２方向面用のものが、直角に連接されて一体形成された構造よりなること、を特徴とする、請求項６に記載した木造建物のプレート金物。
【請求項１０】
建物のコーナー用の該下プレート金物８は、２方向面用のものが、直角に連接されて一体形成された構造よりなること、を特徴とする、請求項６に記載した木造建物のプレート金物。
【発明の詳細な説明】
【技術分野】
【０００１】
本発明は、木造建物のプレート金物に関する。すなわち、木造建物の土台と基礎コンクリート間の連結固定に使用される、プレート金物に関するものである。
【背景技術】
【０００２】
《技術的背景》
木造建物では、土台が基礎コンクリート上に連結固定されると共に、土台上に柱そして梁が組み付けられている。
そして、土台の基礎コンクリートへの連結固定は、通常、一般的にはアンカーボルトを用いて、行われていた。
【０００３】
《先行技術文献情報》
このような連結固定の例としては、次の特許文献１中に示されたものが挙げられる。
【特許文献１】特許第３５９７７８８号
【０００４】
《従来技術》
ところで、このような一般例によらず、より強度面に優れており、より確実，強固な連結固定例も、従来提案され実用化されていた。
すなわち、土台側に上プレート金物を止着すると共に、基礎コンクリート側に下プレート金物を止着し、この上プレート金物と下プレート金物間を、ボルトにて連結固定することも、開発されていた。
そして、この種従来例では、１枚の上プレート金物，１枚の大きな下プレート金物，１本の連結ボルト等が、１セットとして用いられており、このような各セットを、土台と基礎コンクリート間に多数配設することにより、土台が基礎コンクリート上に連結固定されていた。
【発明の開示】
【発明が解決しようとする課題】
【０００５】
ところで、このような上プレート金物，下プレート金物，連結ボルト等を用いた従来例については、次の問題が指摘されていた。
《第１の問題点》
第１に、下プレート金物の基礎コンクリートへの止着に関し、強度上問題が指摘されていた。
図７の（３）図，（４）図は、この種従来例の説明に供し、下プレート金物の要部を拡大した正面説明図であり、（３）図は、取付け時を示し、（４）図は、上方への引張力が作用した場合を示す。同図にも示したように、下プレート金物１の基礎コンクリートＡへの止着は、複数本の横ピン（アンカーピン）２を、それぞれ、下プレート金物１の大径穴３を介し、対応すべき基礎コンクリートＡの小径穴Ｈに挿着することにより、行われていた。
なお図中５は、土台側の上プレート金物（図示せず）との間の連結固定用の連結ボルト５であり、この連結ボルト５は、頭部が、上プレート金物に対して溶着されると共に、下部が、下プレート金物１に溶着されたナット６に対して螺着されていた。
【０００６】
さて、基礎コンクリートＡ中には、鉄筋や石等が存在，混入しており、各所定の位置にそれぞれ小径穴Ｈを穿設することは、容易でない。従って、このような基礎コンクリートＡ側の各小径穴Ｈについて、対応する下プレート金物１側の各大径穴３と、中心を一致させることは、極めて困難であり、小径穴Ｈと大径穴３とが全く対応位置しない箇所すら発生する。
従って、下プレート金物１の基礎コンクリートＡへの止着は、小径穴Ｈと対応した大径穴３について、横ピン２の頭部を遊挿着すると共に、横ピン２の先端部を小径穴Ｈに密挿着することにより、行われていた。そこで、図７の（１）図に示した状態から、連結ボルト５を介し下プレート金物１に対し、上方への引張力が作用した場合は、図７の（２）図に示した状態となり（なお図中、横ピン２は頭部を除く先端部のみを断面表示）、強度上問題が指摘されていた。
すなわちこの場合、下プレート金物１そして大径穴３は、上方へ変位するのに対し、横ピン２そして小径穴Ｈは、それまでの位置を不動に保持する。そこで、図７の（１）図において大径穴３と小径穴Ｈの中心が一致していた箇所の横ピン２は、大径穴３の下縁に当接して、接点・支点となり、もって引張力に対応する反力，抵抗力を作用せしめる。これに対し、中心不一致箇所の横ピン２は、大径穴３の下縁に当接せず、もって引張力に対し反力，抵抗力は働かない。
そこで、この種従来例では、横ピン２による、下プレート金物１の基礎コンクリートＡへの止着が、維持されずに不確実化する危険があり、下プレート金物１が引張力にて上方への引き抜かれてしまう危険もある等、強度上問題が指摘されていた。
【０００７】
《第２の問題点》
第２に、下プレート金物１が基礎コンクリートＡに密着しないことが多く、この面からも強度上問題が指摘されていた。
すなわち、基礎コンクリートＡの表面は、面一ではなく、湾曲したり凹凸が存していることが多く、面一で大きな下プレート金物１が密着しにくく、両者間に隙間がランダムに生じてしまうことが多々ある。
そこで、この種従来例では、上方へ引張力や下方への圧縮力が作用した場合に、反力，抵抗力の支点となる各横ピン２相互間の止着力が不均一となり、横ピン２が緩み易くなり十分に機能しなくなる等、これらの面からも、下プレート金物１の基礎コンクリートＡへの止着が不確実化し、強度上の問題が指摘されていた。
【０００８】
《第３の問題点》
第３に、土台側と基礎コンクリートＡ側との間に、段差が存することが多々あり、このような段差箇所では、連結ボルト５による連結固定が困難化する、という問題も指摘されていた。
特に、土台の外壁材が前方に位置し、基礎コンクリートＡが後方に位置していることが、多々あり、このような段差箇所では、土台の外壁材に止着された上プレート金物と、基礎コンクリートＡに止着された下プレート金物１との間を、直線的な連結ボルト５で連結固定することは、容易でなかった。
もって、この種従来例では、連結ボルト５による上下間の連結固定が、不確実化したり不可能化する箇所が生じることがあり、この面からも、強度上の問題が指摘されていた。
【０００９】
《第４の問題点》
第４に、上方への引張力や下方への圧縮力は、垂線に沿って作用するとは限らず、傾斜して斜めから作用する場合も多いが、このような場合の力の伝達がスムーズでなく、この面からも強度上問題が指摘されていた。
すなわち、地震や台風による引張力や圧縮力は斜めに作用する場合も多いが、この種従来例では、上プレート金物と下プレート金物１間が、垂直線に沿った連結ボルト５にて上下連結固定されていたので、上下間の力の伝達にマッチせずズレが生じ、不要な力の分散が発生してしまう等、これらの面からも強度上問題が指摘されていた。
【００１０】
《第５の問題点》
第５に、連結ボルト５にて下プレート金物１の位置が制限される等、使い勝手が悪いという問題も指摘されていた。
すなわち、この種従来例のおいて、連結ボルト５は、頭部が、上プレート金物に溶接されると共に、下部が、下プレート金物１のナット６に螺着されていた。そこで、連結ボルト５の長さ寸法により、下プレート金物１の使用範囲が制限されてしまい、その場に応じた適切な上下高さ位置に、下プレート金物１を位置決め配設することが容易でなく、予め各種長さ寸法の連結ボルト５を準備することを要する等々、使い勝手が悪く、作業効率に問題が指摘されていた。
【００１１】
《第６の問題点》
第６に、地震や台風に際し、圧縮力が作用する木造建築では、柱が土台Ｂにめり込み、もって建物転倒に至る危険も指摘されていた。すなわち、このような危険防止の為に筋交が用いられてはいるが、この種従来例では、依然として土台Ｂの強度不足が懸念されていた。
【００１２】
《第７の問題点》
第７に、同様に地震や台風に際し、引張力が作用する木造建物では、１階の柱や２階の柱が浮き上がり、もって建物転倒に至る危険も指摘されていた。
【００１３】
《第８の問題点》
第８に、木造建物のコーナー下部には、力が集中して作用し、特に筋交により斜め方向に力が集中して作用する。
これに対しこの種従来例では、コーナー下部の直交する一面について、１セットの上プレート金物，連結ボルト５，下プレート金物１が用いられると共に、コーナー下部の直交する他面について、同様に１セットの上プレート金物，連結ボルト５，下プレート金物１が用いられていた。つまり、直交する２面について、それぞれ単独に独立して両セットが用いられていた。
そこで、コーナー下部の一面（又は他面）について、筋交にて引張力や圧縮力が作用した場合に、これに反力，抵抗力を作用させるのは、その一面（又は他面）の１セットの上プレート金物，連結ボルト５，下プレート金物１のみであり、コーナーにおける強度不足が指摘されていた。引張力や圧縮力への反力，抵抗力が十分ではなく、引き抜き，潰れ，転倒等の危険が指摘されていた。
【００１４】
《本発明について》
本発明の木造建物のプレート金物は、このような実情に鑑み、上記従来例の課題を解決すべくなされたものである。
そして本発明は、第１に、下プレート金物の止着が確実化し、第２に、基礎コンクリート表面の湾曲や凹凸に対応できると共に、第３に、土台と基礎コンクリート間の段差にも対応でき、第４に、斜めの引張力や圧縮力へも対応可能であり、第５に、連結縦ネジを採用したので使い勝手が良く、第６に、柱の土台へのめり込みが防止されると共に、第７に、柱の浮き上がりも防止され、第８に、建物コーナーでの強度にも優れるようになる、木造建物のプレート金物を提案することを、目的とする。
【課題を解決するための手段】
【００１５】
《請求項について》
このような課題を解決する本発明の技術的手段は、次のとおりである。請求項１については次のとおり。
請求項１の木造建物のプレート金物は、土台が基礎コンクリート上に連結固定され、該土台上に柱そして梁が組み付けられた木造建物において、使用される。
そして、該土台と該基礎コンクリートとは、該土台側に止着された上プレート金物と、該基礎コンクリート側に止着された下プレート金物とが、連結縦ネジにて連結固定されており、該下プレート金物が、複数枚に分割して用いられていること、を特徴とする。
請求項２については次のとおり。請求項２は、請求項１において、該下プレート金物には、大径穴が複数設けられ、該基礎コンクリートには、対応して小径穴が複数設けられている。そして横ピンが、各該大径穴に遊挿着されると共に該小径穴に密挿着されることにより、該下プレート金物が該基礎コンクリートに止着されていること、を特徴とする。
請求項３については次のとおり。請求項３は、請求項２において、該下プレート金物には、Ｕリングが溶着されており、該連結縦ネジの下部が、該Ｕリングに対し遊挿されると共にナットにて螺着されていること、を特徴とする。
【００１６】
請求項４については次のとおり。請求項４は、請求項３において、該上プレート金物は、複数本の横ネジにて該土台側に止着されると共に、ナットが溶着されており、該連結縦ネジの上部が、該ナットに対し螺着されていること、を特徴とする。
請求項５については次のとおり。請求項５は、請求項３において、該上プレート金物は、複数本の横ネジにて該土台側に止着されると共に、Ｕリングが溶着されており、該連結縦ネジの上部が、該Ｕリングに対し遊挿されると共にナットにて螺着されていること、を特徴とする。
請求項６については次のとおり。請求項６は、請求項４又は５において、該上プレート金物は、外壁材を介し該土台に止着される横プレート本体部と、該外壁材を介し該柱に止着される縦プレート部とが、一体形成された構造よりなること、を特徴とする。
【００１７】
請求項７については次のとおり。請求項７は、請求項６において、該上プレート金物の横プレート本体部は、横長の寸法よりなり、該土台に沿って延伸されると共に、横に隣接する該上プレート金物の端同士が、若干の左右間隔を存しつつ重ならない程度の位置関係で接近していること、を特徴とする。
請求項８については次のとおり。請求項８は、請求項６において、該上プレート金物の縦プレート部は、縦長の寸法よりなり、該柱に沿って延伸されると共に、上端が、２階の柱や梁に止着されていること、を特徴とする。
請求項９については次のとおり。請求項９は、請求項６において、建物のコーナー用の該上プレート金物は、２方向面用のものが、直角に連接されて一体形成された構造よりなること、を特徴とする。
請求項１０については次のとおり。請求項１０は、請求項６において、建物のコーナー用の該下プレート金物は、２方向面用のものが、直角に連接されて一体形成された構造よりなること、を特徴とする。
【００１８】
《作用等について》
本発明は、このような手段よりなるので、次のようになる。
この木造建物では、土台側に止着された上プレート金物が、基礎コンクリート側に止着された複数枚の下プレート金物に、連結縦ネジで螺着，連結固定され、もって土台が基礎コンクリート上に連結固定されている。
上プレート金物は、土台側に止着される横プレート本体部と、柱に止着される縦プレート部とからなるが、極めて横長とした横プレート本体部や縦プレート部も考えられる。又、建物コーナー用としては、２方向面の上プレート金物や下プレート金物を、直角に一体形成することも考えられる。
【００１９】
さて、（１）第１に、この下プレート金物は、複数枚に分割されている。もって、下プレート金物の大径穴と基礎コンクリートの小径穴について、中心が一致していない箇所があっても、その影響は削減される。
すなわち、下プレート金物に引張力が作用した場合は、大径穴と小径穴の中心が一致していた箇所の横ピンが、大径穴の下縁に当接して、反力の支点として機能する。そこで、各下プレート金物におけるこのような反力の合力により、下プレート金物の基礎コンクリートへの止着が、確保，維持される。
（２）第２に、基礎コンクリートの表面は、湾曲したり凹凸が存していることが多いが、この下プレート金物は、複数枚に分割されているので、湾曲や凹凸に対応可能であり、基礎コンクリートに対し、各下プレート金物毎に、各横ピンにて密着して止着可能である。もってその分、下プレート金物の基礎コンクリートへの止着が、確実化される。
（３）第３に、土台と基礎コンクリート間には、段差が存していることが多いが、両者間を連結固定する連結縦ネジは、ナット付のＵリングを使用して螺着されており、段差に対応可能である。
すなわち、Ｕリングに遊挿された連結縦ネジを、段差に対応した前後位置に調節し前後移動させてから、ナットにて螺着することにより、段差が存しても確実な連結固定が実現される。
（４）第４に、引張力や圧縮力が傾斜して作用した場合は、連結縦ネジが、ナット付のＵリングを使用して螺着されているので、傾斜した力にも対応可能である。
すなわち、力が傾斜して作用した場合、連結縦ネジは、遊挿されていたＵリング中において、従動して向きを変え、力の方向に沿って傾斜するようになる。
【００２０】
（５）第５に、土台や基礎コンクリートの上下寸法は、様々であり、止着される上プレート金物や下プレート金物の適切な寸法や位置も、様々である。
そこで、これら間を連結固定する連結縦ネジは、ナットやナット付Ｕリングで、上下を螺着されており、螺着箇所を自在に変更することにより、上述した様々な寸法や位置に対応可能である。
（６）第６に、土台上に柱が載せられており、土台の強度が不足することがあるが、上プレート金物の横プレート本体部の横寸法を長くとって、延伸，止着しておくことにより、土台が補強され、柱の土台へのめり込みも防止される。
（７）第７に、上プレート金物の縦プレート部の縦寸法を長くとって、柱に延伸，止着すると共に、上端を２階の柱や梁に止着しておくことにより、柱が補強される。柱は、このような縦プレート部そして上プレート金物にて、土台に強固に固定されており、その浮き上がりも防止される。
（８）第８に、建物のコーナー下部には、引張力や圧縮力が集中して作用し、特にコーナーに止着された筋交により、傾斜した斜め方向の力が、強力に作用する。
そこで、コーナーに直角に対峙する２セットの上プレート金物や下プレート金物に関し、相互間を連接一体形成しておくと、建物のコーナー強度が向上する。すなわち、作用する引張力や圧縮力が、２方向面に分力化されると共に、この分力に対し、２方向面で反力が作用するので、コーナー強度が強化される。
（９）さてそこで、この木造建物のプレート金物は、次の効果を発揮する。
【発明の効果】
【００２１】
《第１の効果》
第１に、下プレート金物の止着が確実化する。すなわち、本発明の木造建物のプレート金物では、基礎コンクリート側の下プレート金物が、複数枚に分割使用されている。
そこで、下プレート金物の大径穴と、基礎コンクリートの小径穴とについて、例え中心が一致しない箇所があっても、その影響は削減される。引張力が作用した際は、各下プレート金物について、中心が一致した箇所の横ピンでの合力により、必要十分な反力，抵抗力が確保される。
前述したこの種従来例のように、大きな１枚の下プレート金物を用いるので、基礎コンクリートへの止着が維持されずに不確実化し、地震や台風による引張力にて下プレート金物が引抜かれてしまう虞、そして建物が浮き上がる虞は解消され、強度が向上する。
【００２２】
《第２の効果》
第２に、基礎コンクリートの湾曲や凹凸にも、十分対応可能である。すなわち、本発明の木造建物のプレート金物では、このように、下プレート金物が複数枚に分割使用されている。
そこで下プレート金物は、基礎コンクリート表面の湾曲や凹凸に対応可能であり、大きな１枚の下プレート金物が用いられていた前述したこの種従来例に比し、基礎コンクリートに対し、より隙間なくより確実に密着される。
従って、地震や台風により引張力や圧縮力が作用した場合に、横ピンが緩みにくく、反力，抵抗力の支点して機能し、この面からも、下プレート金物の基礎コンクリートへの止着が確実化し、引抜きが防止される等、強度が向上する。
【００２３】
《第３の効果》
第３に、土台と基礎コンクリート間の段差にも、十分対応可能である。すなわち、本発明の木造建物のプレート金物では、連結縦ネジがＵリングを介して螺着されている。
そこで、土台と基礎コンクリート間に段差が存しても、連結縦ネジによる連結固定が段差に対応して可能であり、前述したこの種従来例のように、上プレートと下プレート間の連結固定が、不確実化したり不可能化する箇所が生じることもなく、地震や台風時の力の伝達が所期の通りスムーズ化する等、バランスの良い安定構造が得られる等、強度が向上する。
【００２４】
《第４の効果》
第４に、斜めの引張力や圧縮力へも、十分対応可能である。すなわち、本発明の木造建物のプレート金物では、このように、連結縦ネジがＵリングを介して螺着されている。
そこで、地震や台風による引張力や圧縮力が傾斜して作用した場合、垂線に沿っていた連結縦ネジは、力の方向に従動して向きを変えて傾斜するようになる。従って、前述したこの種従来例のように、垂線にてガッチリ固定されたままの場合に比し、力の伝達がズレなくスムーズ化され、この面からも安定した耐力が得られ、強度が向上する。
【００２５】
《第５の効果》
第５に、連結縦ネジを採用したので、使い勝手が向上する。すなわち、本発明の木造建物のプレート金物において、連結縦ネジは、上部が、上プレート金物のナットやナット付Ｕリングに螺着され、下部が、下プレート金物のナット付のＵリングに螺着されている。
そこで連結縦ネジは、自在な長さのものが使用可能であると共に、一定長さのものを規定化して準備するだけで、適宜切断使用することも可能であり、下プレート金物の上下高さ位置，使用範囲が制限，限定されることもない。従って、前述したこの種従来例に比し、使い勝手が良く、作業効率が向上する。
【００２６】
《第６の効果》
第６に、柱の土台へのめり込みが、防止される。すなわち、本発明の木造建物のプレート金物において、下プレート金物の横プレート本体部を極めて横長とした場合は、次のようになる。
すなわち、土台の強度が、このような横プレート本体部にて補強され、地震や台風に際し柱を介し土台に圧縮力が作用しても、前述したこの種従来例のように、柱が土台にめり込み建物転倒に至る危険は防止され、土台の強度不足が解消される。
【００２７】
《第７の効果》
第７に、柱の浮き上がりも、防止される。すなわち、本発明の木造建物のプレート金物において、上プレート金物の縦プレート部を極めて縦長として、２階の柱や梁に止着した場合は、次のようになる。
すなわち、地震や台風に際し引張力が作用しても、１階や２階の柱は、このような縦プレート部にて補強され不動に固定されており、前述したこの種従来例のように、柱が浮き上がり建物転倒に至る危険はなくなる。
【００２８】
《第８の効果》
第８に、建物コーナー強度に優れている。すなわち、本発明の木造建物のプレート金物において、コーナー用の上プレート金物や下プレート金物に関し、２方向面用のものを直角に連接して一体形成した構造を採用すると、次のようになる。
すなわち、筋交により斜め方向の力が作用する等、地震や台風に際し引張力や圧縮力が集中して作用する建物コーナー下部の強度に、優れるようになる。つまり、力が２方向面に分散されると共に、それぞれの面で反力が働くので、１面だけの反力に頼っていた前述したこの種従来例に比し、コーナー強度が倍増する。もって、引き抜き，潰れ，転倒等の危険も、確実に解消される。
このように、この種従来例に存した課題がすべて解決される等、本発明の発揮する効果は、顕著にして大なるものがある。
【発明を実施するための最良の形態】
【００２９】
《図面について》
以下、本発明の木造建物のプレート金物を、図面に示した発明を実施するための最良の形態に基づいて、詳細に説明する。図１〜図７の（１）図，（２）図は、本発明を実施するための最良の形態の説明に供する。
そして、図１は正面説明図であり、（１）図は第１例を、（２）図は第２例を、（３）図は第３例を示す。図２は、第４例の要部を拡大した正面説明図である。図３は、第５例の要部を拡大した正面説明図である。図４は、第６例の要部を拡大した斜視説明図である。図５は、第７例の要部を拡大した斜視説明図である。
図６は、平断面説明図であり、（１）図は、上プレート金物の１例を、（２）図は、下プレート金物の１例を示す。図７は、下プレート金物の１例の要部を拡大した正面説明図であり、（１）図は、取付け時を示し、（２）図は、上方への引張力が作用した場合を示す。
【００３０】
《木造建物について》
まず、この上下のプレート金物７，８が使用される木造建物について、図１を参照して概説する。
木造軸組の建築物である木造建物は、地面に周設されたコンクリート立上げよりなる基礎コンクリートＡの上に、木製の土台Ｂが、連結固定されている。そして、この横向きの土台Ｂの上に、木製の柱Ｃが各々縦に載せられ、各柱Ｃの上に木製の梁Ｄが横に載せられた、組み付け構造よりなる。
２階建，３階建の場合は、更に、この梁Ｄの上に柱Ｃそして梁Ｄが、順次載せられ組み付けられる。図示例によらず、柱Ｃとして、１，２階共通の通し柱が用いられ、この柱Ｃに梁Ｄが取り付けられることもある。
土台Ｂや柱Ｃは、例えば１０５ｍｍ×１０５ｍｍ程度の寸法よりなり、その外表面には、全体的に面状の外壁材Ｅが取り付けられている（図２以下も参照）。又、上下の梁Ｄや土台Ｂと、左右の柱Ｃとで形成された縦長方形のエリアには、その上下隅部間にＸ字状にクロスして、筋交（筋違い）Ｆが補強用に取付けられている。
木造建物は、概略このようになっている。
【００３１】
《土台Ｂの連結固定構造について》
さて、このように木造建物では、土台Ｂが基礎コンクリートＡ上に、連結固定されている。そして本発明では、この連結固定は、図１に示したように、上プレート金物７，下プレート金物８，連結縦ネジ９を用いて、実施されている。
すなわち、  土台Ｂと基礎コンクリートＡとは、土台Ｂ側に止着された上プレート金物７と、基礎コンクリートＡ側に止着された下プレート金物８とが、連結縦ネジ９にて連結固定されている。
そして、このような上プレート金物７，下プレート金物８，連結縦ネジ９が、１セットとして用いられており、このような各セットが、土台Ｂと基礎コンクリートＡ間に多数配設されることにより、土台Ｂが基礎コンクリートＡに連結固定されている。
以下、これらについて詳述する。
【００３２】
《下プレート金物８について》
まず、下プレート金物８について図１，図２，図３，図６の（２）図，図７の（１）図，（２）図、等を参照して説明する。
下プレート金物８には、大径穴１０が複数設けられ、基礎コンクリートＡには、対応して小径穴Ｇが複数設けられている。そして横ピン１１が、各大径穴１０に遊挿着されると共に小径穴Ｇに密挿着されることにより、下プレート金物８が基礎コンクリートＡに止着されている。
又、下プレート金物８には、Ｕリング１２が溶着されており、連結縦ネジ９の下部が、Ｕリング１２に対し遊挿されると共に、ナット１３にて螺着されている。そして、このような下プレート金物８が、１セット毎に、複数枚に分割して用いられている。
【００３３】
このような下プレート金物８について、更に詳述する。まず、図１の（１）図，（３）図，図２，図４，図７の（１）図，（２）図等に示した例において、下プレート金物８は、１セット毎に、上下２枚に分割して用いられており、共通の１本の連結縦ネジ９が使用されている。
又、図１の（２）図に示した例において、下プレート金物８は、１セット毎に、上下３枚に分割して用いられており、共通の１本の連結縦ネジ９が用いられている。図３に示した例では、１セット毎に、左右２枚に分割して用いられており、それぞれについて各１本、計２本の連結縦ネジ９が使用されている。
勿論、下プレート金物８は、図示例以外にも、上下，左右に複数枚に分割された例が可能であり、例えば、上下，左右２枚ずつの計４枚に分割した例も可能である。又、用いられる連結縦ネジ９の本数も、各１本を原則とする図示例以外に各種可能であり、例えば、後述する図５の例のように、１セットにつき２本１組として使用する例も可能である。
【００３４】
そして、図６の（２）図，図７の（１）図，（２）図，その他に示したように、下プレート金物８には、予め大径穴１０が複数設けられており、図示例では横に４個列設されている。
これに対応して、基礎コンクリートＡには、予め小径穴Ｇが複数設けられており、図示例では横に４個列設されている。小径穴Ｇは、大径穴１０よりは小径であると共に、横ピン１１とはほぼ同径よりなる。そして横ピン１１が、下プレート金物８の各大径穴１０に対し、頭部を除き、エリア的に余裕を存しつつその一部に遊挿されると共に、基礎コンクリートＡの同径の小径穴Ｇに対し、密に挿着されている。
その際、各大径穴１０と小径穴Ｇや横ピン１１とは、中心を一致させ同軸に対応位置決めされることが、理想的である。又、図６の（２）図や図７の（１）図，（２）図の例では、すべての大径穴１０を使用して横ピン１１が挿着されているが、必ずしもその必要はなく、図２，図３，図４，図５中に示した例のように、少なくとも連結縦ネジ９の左右各１個の大径穴１０を使用して、横ピン１１の挿着が行われていればよい。
なお、この横ピン１１としてはボルトを使用してもよく、更に、この横ピン１１の１例であるボルトは、基礎コンクリートＡの小径穴Ｇを貫通させ、もってその先端部を、基礎コンクリートＡの裏側（下プレート金物８とは反対面）に突出，露出させると共に、ナットで螺着するようにしてもよい。
【００３５】
そして、各図に示したように、下プレート金物８の外表面側の中央部には、Ｕリング１２が溶接接合されている。Ｕリング１２は、下プレート金物８の上下寸法以下の縦寸法よりなるが、最低でもその１／５以上程度の縦寸法よりなる。又、Ｕリング１２の略Ｕ字状の縦穴は、連結縦ネジ９より遥かに径大となっている。
そして、連結縦ネジ９の下部が、このＵリング１２の縦穴に対し、エリア的に余裕を存しつつ、その一部スペースに縦に遊挿されている。これと共に、遊挿された連結縦ネジ９の下部は、Ｕリング１２下に露出した部分がナット１３にて螺合され、もってＵリング１２に対し螺着されている。
下プレート金物８は、このようになっている。
【００３６】
《上プレート金物７について》
次に、上プレート金物７について、図１〜図６の（１）図、等を参照して説明する。上プレート金物７は、図１，図２，図３，図４，図６の（１）図に示した例では、複数本の横ネジ１４にて土台Ｂ側に止着されると共に、ナット１５が溶着されており、連結縦ネジ９の上部が、ナット１５に対し螺着されている
これに対し、図５に示した例の上プレート金物７は、複数本の横ネジ１４にて土台Ｂ側に止着されると共に、Ｕリング１６が溶着されており、連結縦ネジ９の上部が、Ｕリング１６に対し遊挿されると共にナット１７にて螺着されている。
そして上プレート金物７は、両例共に、外壁材Ｅを介し土台Ｂに止着される横プレート本体部１８と、外壁材Ｅを介し柱Ｃに止着される縦プレート部１９とが、一体形成された構造よりなる。
【００３７】
このような上プレート金物７について、更に詳述する。まず上プレート金物７は、前述した下プレート金物８とは異なり、１セット毎に１枚用いられている（なお図４のコーナーの例では、２セットで１枚に一体化されている）。
そして、上プレート金物７の横プレート本体部１８は、図６の（１）図等に示したように、複数本の横ネジ１４にて、外壁材Ｅを介し土台Ｂに螺着により止着されている。上プレート金物７の縦プレート部１９は、複数本の横ネジ１４にて、外壁材Ｅを介し柱Ｃに螺着，止着されている。
又、縦プレート部１９は、建物の各面の端に柱Ｃが位置する場合は（例えば、図１の（１）図，図２の左側を参照）、横プレート本体部１８の端から立設され、又、建物の各面の端以外の中央部に柱Ｃが位置する場合は（例えば、図１の（２）図の右側、図２の右側を参照）、横プレート本体部１８の中央から立設される。前者の場合、上プレート金物７は全体としては略Ｌ字状をなし、後者の場合は略逆Ｔ字状をなす。
【００３８】
そして、図１，図２，図３，図４，図６の（１）図等に示した例では、上プレート金物７の横プレート本体部１８の外表面側には、長ナットよりなるナット１５が溶接接合されている。そして縦プレート部１９の上部が、このナット１５に螺着され、もって縦プレート部１９は、上部がこのナット１５に螺着され、下部が前述したナット１３にて螺着されることにより、上プレート金物７と下プレート金物８間に、連結固定されている。
これに対し図５に示した例では、上プレート金物７の横プレート本体部１８の外表面側には、Ｕリング１６が溶接接合されている。このＵリング１６は、前述したＵリング１２に準じた構成よりなる。すなわちＵリング１６は、上プレート金物７の上下寸法以下の縦寸法よりなるが、最低でもその１／５以上程度の縦寸法よりなり、Ｕリング１６の略Ｕ字状の縦穴は、連結縦ネジ９より径大つまり平断面で前後により長くなっている。
そして、連結縦ネジ９の上部が、このＵリング１６の縦穴に対し、エリア的に余裕を存しつつ、その一部スペースに縦に遊挿されている。これと共に遊挿された連結縦ネジ９の上部は、Ｕリング１６上に露出した部分がナット１７にて螺合され、もってＵリング１６に対し螺着されている。
もって連結縦ネジ９は、上部がナット１７にて螺着され、下部が前述したナット１３にて螺着されることにより、上プレート金物７と下プレート金物８間に、不動に連結固定されている。
【００３９】
ところで、図３の例の上プレート金物７は、次のようになっている。すなわち、この例の上プレート金物７の横プレート本体部１８は、横長の寸法よりなり、土台Ｂに沿って延伸されると共に、横に隣接する上プレート金物７の端同士が、若干の左右間隔を存しつつ重ならない位置関係で接近している。つまりこの横プレート本体部１８は、極めて横長の寸法よりなり、左右セットのものが接しない範囲で隣接位置している。
又、図１の（３）図の例の上プレート金物７は、次のようになっている。すなわち、この例の上プレート金物７の縦プレート部１９は、縦長の寸法よりなり、柱Ｃに沿って延伸されると共に、上端が、２階の柱Ｃや梁Ｄに止着されている。つまり、この縦プレート部１９は、極めて縦長に設定されており、その上端が、２階の柱Ｃ下に止着されており、２階に柱Ｃがない場合は２階の床の梁Ｄに止着される。
上プレート金物７は、このようになっている。
【００４０】
《コーナー用の上プレート金物７や下プレート金物８について》
次に、図４や図５の例について説明する。図４に示した例では、建物コーナー用の上プレート金物７は、２方向面用のものが、直角に連接されて一体形成された構造よりなる。すなわち、この例の上プレート金物７は、建物のコーナーを挟んだ２方向面用の両セットのものが、横プレート本体部１８，縦プレート部１９共に、直角に一体形成され製造されたものが使用されている。
これに対し、図５に示した例では、建物コーナー用の下プレート金物８は、２方向面用のものが、直角に連接されて一体形成された構造よりなる。すなわち、この例の下プレート金物８は、建物のコーナーを挟んだ２方向面用の両セットのうち、分割された上位のものが、直角に一体形成され製造されたものが使用されている。
なお図示例によらず、分割された下位の下プレート金物８を、一体形成するようにしてもよく、更に、上下の下プレート金物８共に、一体形成されたものを使用するようにしてもよい。
コーナー用の上プレート金物７や下プレート金物８は、このようになっている。
【００４１】
《作用等》
本発明の木造建物の上下のプレート金物７，８は、以上説明したように構成されている。そこで、以下のようになる。
この木造建物では、土台Ｂ側の上プレート金物７が、基礎コンクリートＡ側の複数枚に分割された下プレート金物８に、連結縦ネジ９で連結固定され、もって土台Ｂが、基礎コンクリートＡ上に連結固定されている（図１，図２，図３等を参照）。
上プレート金物７は、横ネジ１４で土台Ｂ側に止着され（図６の（１）図等を参照）、下プレート金物８は、横ピン１１で大径穴１０や小径穴Ｇを介し、基礎コンクリートＡに止着されている（図６の（２）図等を参照）。そして連結縦ネジ９は、上部が、ナット１５又はナット１７付Ｕリング１６にて、上プレート金物７に螺着され（図６の（１）図等を参照）、下部が、ナット１３付Ｕリング１２にて、下プレート金物８に螺着されている（図６の（２）図等を参照）。
又、上プレート金物７は、土台Ｂ側に止着される横プレート本体部１８と、柱Ｃに止着される縦プレート部１９とからなるが（図２，図３等を参照）、極めて横長とした横プレート本体部１８や（図３等を参照）、極めて縦長とした縦プレート部１９も考えられる（図１の（３）図を参照）。
更に、建物のコーナー用としては、２方向面の上プレート金物７を、直角に一体形成した例や（図４を参照）、２方向面の下プレート金物８を、直角に一体形成した例も（図５を参照）考えられる。
さてそこで、このような上プレート金物７や下プレート金物８を用いると、次の（１）〜（８）のようになる。
【００４２】
（１）第１に、基礎コンクリートＡ中には、鉄筋，石，その他が存在，混入しており、基礎コンクリートＡについて各所定位置、つまり下プレート金物８に予め穿設，準備された各大径穴１０と対応すべき位置に、それぞれ正確に小径穴Ｇを穿設することは、容易ではない。
従って、下プレート金物８の基礎コンクリートＡ側への止着に際し、下プレート金物８側の各大径穴１０と、基礎コンクリートＡ側の各小径穴Ｇとを、中心を一致させて正確に対応位置させることは、極めて困難である。
そこで、その対策として、この下プレート金物８は、複数枚に分割して使用されており、複数枚の下プレート金物８でこれに対応するようになっている。すなわち、下プレート金物８側の大径穴１０と、基礎コンクリートＡ側の小径穴Ｇとについて、例え中心が一致していない箇所があっても、下プレート金物８が複数枚使用されているので、その影響は削減される。
この点について更に詳述する。図７の（１）図に示した取付け時の状態から、連結縦ネジ９を介して下プレート金物８に上方への引張力が作用した場合は、図７の（２）図に示した状態となり、引張力に対する反力，抵抗力が確保される。
図示したように、引張力にて各下プレート金物８や大径穴１０は、上方へ変位するが、横ピン１１や小径穴Ｇは、それまでの位置を不動に保持する（なお図中、横ピン１１は頭部を除く先端部のみを断面表示）。そして、各下プレート金物８について、それぞれ、大径穴１０と小径穴Ｇとの中心が一致していた箇所の横ピン１１が、それぞれ大径穴１０の下縁に当接して、接点・支点として機能する。
このように中心が一致していた横ピン１１を支点として、引張力と大きさが等しく向きが逆の反力が作用し、各下プレート金物８におけるこのような反力の合力により、必要十分な抵抗力が確保されるようになる。もって、下プレート金物８の基礎コンクリートＡへの止着が、確保，維持され、十分な耐力が得られる等、強度が向上する。
【００４３】
（２）第２に、基礎コンクリートＡの表面は、湾曲したり凹凸が存していることが多く、面一でないことが多い。
これに対し、この下プレート金物８は、複数枚に分割して使用されているので、このような湾曲や凹凸に細かく対応可能であり、基礎コンクリートＡに対し、隙間なく密着して止着することが可能である。
すなわち各横ピン１１が、それぞれ個別に基礎コンクリートＡに密着された各下プレート金物８を介することにより、そしてその大径穴１０を介することにより、いずれも均一，確実に，不足なく、基礎コンクリートＡの小径穴Ｇに密挿着されるようになり、緩みにくく、反力，抵抗力の支点として確実に機能するようになる。もってこの面からも、下プレート金物８の基礎コンクリートＡへの止着が確実化され、十分な耐力が得られる等、強度が向上する。
【００４４】
（３）第３に、上位の土台Ｂ外表面の外壁材Ｅと、下位の基礎コンクリートＡとの間には、段差が存していることが多々ある。特に、外壁材Ｅが前方に位置し、基礎コンクリートＡが後方に位置していることが多々ある。
そこで、このような土台Ｂ側の上プレート金物７と、基礎コンクリートＡ側の下プレート金物８との間を連結固定する連結縦ネジ９は、ナット１３付のＵリング１２やナット１７付のＵリング１６を使用して、螺着されており、このような段差に十分対応可能となっている。
すなわち、下プレート金物８や上プレート金物７のＵリング１２，１６に遊挿された連結縦ネジ９を、段差に対応した前後位置に調節し前後移動させて、適切に位置決めしてから、ナット１３，１７にて螺着することにより、確実な連結固定が実現される。なお、上プレート金物７側のみにナット１７付Ｕリング１６を使用した場合や、下プレート金物８側のみにナット１３付Ｕリング１２を使用した場合も、十分に確実な連結固定を実現可能である。
このように、上下直線的な連結縦ネジ９を用いつつ、前後段差があるにもかかわらず、上プレート金物７と下プレート金物８間、そして土台Ｂと基礎コンクリートＡ間が、確実に連結固定されるようになる。連結固定の不可能箇所や不確実化箇所は発生せず、その分、強度が向上する。
【００４５】
（４）第４に、上方への引張力や下方への圧縮力は、垂線に沿って作用するとは限らず、傾斜して斜めに作用する場合も多い。
これに対し、上プレート金物７と下プレート金物８間を連結固定する連結縦ネジ９が、ナット１３付のＵリング１２や、ナット１７付のＵリング１６を使用して螺着されているので、このような斜めに作用する力にも対応可能である。
すなわち、引張力や圧縮力が傾斜して作用した場合、連結縦ネジ９は、遊挿されていたＵリング１２の縦穴中やＵリング１６の縦穴中において、力の方向に従動して、自然かつ容易に向きを変え、力の方向に沿って傾斜するようになる。もって、力の伝達が所期の通りスムーズ化され、無駄な力の分散が阻止されるので、その分、強度が向上する。
【００４６】
（５）第５に、土台Ｂや基礎コンクリートＡの上下寸法は、建物によって様々であり、もって、このような土台Ｂや基礎コンクリートＡに止着される上プレート金物７や下プレート金物８の適切な上下寸法や上下位置も、様々である。
そこで、このような上プレート金物７と下プレート金物８間を連結固定する連結縦ネジ９は、ナット１５やナット１７付Ｕリング１６と、ナット１３付Ｕリング１２とで、上下を螺着されており、ポイントとなる螺着箇所を自在に変更することにより、上述した様々な上下寸法や上下位置に容易に対応可能である。余った寸法分は、切断除去すればよい。
このように、上下連結固定用に連結縦ネジ９を採用したので、汎用性に富んでおり、様々な寸法、位置ニーズに対応可能である等、使い勝手に優れている。
【００４７】
（６）第６に、木造建物では、木製の土台Ｂの上に、木製の柱Ｃが縦に載せられ立設されており、土台Ｂの強度が不足することが多々ある。
そこで、このような場合には、上プレート金物７の横プレート本体部１８の横寸法を長くとり、隣接する上プレート金物７相互間の端が隣接する程度まで延伸，止着しておくことにより、土台Ｂが補強される。もって例えば、柱Ｃを介し土台Ｂに圧縮力が作用した場合において、柱Ｃの土台Ｂへのめり込みが防止される。
【００４８】
（７）第７に、木造建物では、引張力が作用した場合に、柱Ｃが土台Ｂから浮き上がってしまう事例も、報告されている。
そこで、このような虞がある場合は、上プレート金物７の縦プレート部１９の縦寸法を長くとり、柱Ｃに沿って延伸，止着すると共に、上端を２階の柱Ｃや梁Ｄに止着しておくことにより、柱Ｃが補強される。
もって柱Ｃは、このような上プレート金物７，縦プレート部１９を介することにより、土台Ｂそして基礎コンクリートＡに強固に固定されており、例えば、引張力が作用した場合において、その浮き上がりが防止される。
【００４９】
（８）第８に、木造建物のコーナー下部には、引張力や圧縮力が集中して作用し、特にコーナーに止着された筋交Ｆにより、傾斜した斜め方向の引張力や圧縮力が、強力に作用する。
そこで、コーナーにて直角に対峙位置する２方向面用の２セットの上プレート金物７、又は２セットの下プレート金物８について、２セットのもの相互間を、直角に連接して一体形成しておくと、建物コーナーにおける強度が向上する。
すなわち、コーナーの一方向面（又は他一方向面）に作用した力は、連接された一方向面側の上プレート金物７側と、他方向面側の上プレート金物７側とに、分解される。又は、連接された一方向面側の下プレート金物８と、他方向面側の下プレート金物８とに分解される。
そして、このように２つに分解された分力に対して、２方向面の両面でそれぞれ反力，抵抗力が作用するようになる。つまり、１つの力に２つの合力，反力で対応することが可能となる。
このように、作用する引張力や圧縮力が、２方向面に向け半分に分散，分力化されると共に、この半減された分力に対し、それぞれの面で反力が作用するので、コーナー強度が倍増するようになる。つまり、力を２分割して、２箇所の反力で対応，分担することにより、コーナーにおける強度が大きく向上する。
【図面の簡単な説明】
【００５０】
【図１】本発明に係る木造建物のプレート金物について、発明を実施するための最良の形態の説明に供し、正面説明図であり、（１）図は、第１例を示し、（２）図は、第２例を示し、（３）図は第３例を示す。
【図２】同発明を実施するための最良の形態の説明に供し、第４例の要部を拡大した正面説明図である。
【図３】同発明を実施するための最良の形態の説明に供し、第５例の要部を拡大した正面説明図である。
【図４】同発明を実施するための最良の形態の説明に供し、第６例の要部を拡大した斜視説明図である。
【図５】同発明を実施するための最良の形態の説明に供し、第７例の要部を拡大した斜視説明図である。
【図６】同発明を実施するための最良の形態の説明に供し、（１）図は、上プレート金物の１例の平断面説明図、（２）図は、下プレート金物の１例の平断面説明図である。
【図７】（１）図，（２）図は、同発明を実施するための最良の形態の説明に供し、下プレート金物の１例の要部を拡大した正面説明図であり、（１）図は、取付け時を示し、（２）図は、上方への引張力が作用した場合を示す。（３）図，（４）図は、この種従来例の説明に供し、下プレート金物の１例の要部を拡大した正面説明図であり、（１）図は、取付け時を示し、（２）図は、上方への引張力が作用した場合を示す。
【符号の説明】
【００５１】
１  下プレート金物（従来例）
２  横ピン（従来例）
３  大径穴（従来例）
５  連結ボルト（従来例）
６  ナット（従来例）
７  上プレート金物（本発明）
８  下プレート金物（本発明）
９  連結縦ネジ（本発明）
１０  大径穴（本発明）
１１  横ピン（本発明）
１２  Ｕリング
１３  ナット
１４  横ネジ
１５  ナット
１６  Ｕリング
１７  ナット
１８  横プレート本体部
１９  縦プレート部
Ａ  基礎コンクリート
Ｂ  土台
Ｃ  柱
Ｄ  梁
Ｅ  外壁材
Ｆ  筋交
Ｇ  小径穴
Ｈ  小径穴
【図１】
2008050834.tif 000003
【図２】
2008050834.tif 000004
【図３】
2008050834.tif 000005
【図４】
2008050834.tif 000006
【図５】
2008050834.tif 000007
【図６】
2008050834.tif 000008
【図７】
2008050834.tif 000009